(57)【要約】【課題】特定色の画像を多数枚速やかに形成することができるとともに、その後、他の色の画像を形成した場合でも、その画像に濃度ムラが生じないようにする。【解決手段】感光体２１の表面を帯電させるコロナ帯電器２２と、回転体本体４１に異なる色用の複数の現像ローラ４３が設けられていて回転体本体４１を間欠的に回転させることにより感光体表面に形成された潜像を現像位置Ｄにて現像するロータリ現像器４０を備え、複数の現像ローラのうち、ある色用の現像ローラ４３Ｋで感光体表面の潜像を現像してある色の画像を形成している際に、他の現像ローラ４３Ｃがコロナ帯電器２２よりも下方に位置するものにおいて、ある色（Ｋ）の画像の形成後に現像ローラ４３Ｃで現像される画像を形成した際にＣ画像に濃度ムラが生じる程度に現像ローラ４３Ｃの表面がオゾンで汚染される前に、回転体本体４１を一回転させる。【選択図】図３
2005266027.tif 000002
【特許請求の範囲】
【請求項１】
感光体の表面を帯電させるコロナ帯電器と、
回転体本体に異なる色用の複数の現像ローラが設けられていて、前記回転体本体を間欠的に回転させることにより、前記感光体表面に形成された潜像を現像位置にて前記複数の現像ローラで選択的に現像するロータリ現像器とを備え、
前記複数の現像ローラのうち、ある色用の現像ローラで前記感光体表面の潜像を現像して当該ある色の画像を形成している際に、少なくとも他の一つの現像ローラが前記コロナ帯電器よりも下方に位置するカラー画像形成装置において、
前記ある色の画像の形成後に前記少なくとも一つの現像ローラで現像される画像を形成した際に当該画像に濃度ムラが生じる程度に前記少なくとも一つの現像ローラの表面が前記コロナ帯電器から発せられるオゾンで汚染される前に、前記回転体本体を少なくとも一回転させることを特徴とするカラー画像形成装置。
【請求項２】
前記回転体本体回りにダクトの吸入口を設けるとともに、前記回転体本体の回転方向を、当該回転体本体回りの空気を前記吸入口に向けて移動させる方向としたことを特徴とする請求項１記載のカラー画像形成装置。
【請求項３】
前記ロータリ現像器による現像位置の上方に、トナーおよびオゾンを吸引するダクトの吸入口を設けるとともに、前記回転体本体の回転方向を、当該回転体本体回りの空気を前記吸入口に向けて掻き上げる方向としたことを特徴とする請求項１記載のカラー画像形成装置。
【請求項４】
前記回転体本体の回りには、当該回転体本体の回転で生じる気流を案内するガイドが設けられていることを特徴とする請求項２または３記載のカラー画像形成装置。
【発明の詳細な説明】
【技術分野】
【０００１】
本発明は、電子写真技術を用いてカラー画像を形成するプリンター、ファクシミリ、複写機等のカラー画像形成装置に関する。主として、コロナ放電帯電器を用いた装置におけるオゾン対策に関するものである。
【背景技術】
【０００２】
一般に、電子写真技術を用いたカラー画像形成装置として、外周面に感光層を有する感光体（像担持体）と、この感光体の外周面を一様に帯電させる帯電手段と、この帯電手段により一様に帯電させられた外周面を選択的に露光して静電潜像を形成する露光手段と、この露光手段により形成された静電潜像に現像剤である複数色のトナーを順次付与して可視像（トナー像）とする現像装置とを備えたカラー画像形成装置が知られており、帯電手段の一つとしてコロナ放電帯電器（コロナ帯電器）を用いたものが知られている。
コロナ帯電器はオゾンを発生させ、このオゾンが現像ローラの表面に接触すると、現像ローラの表面にオゾン生成物が生じ、これによって現像ローラ表面におけるトナー帯電能を低下させる、すなわち現像ローラ表面を汚染することが知られている。
【０００３】
一方、カラー画像形成装置の中には、複数の（例えばＹＭＣＫ用の）現像ローラを有していて、感光体上の潜像を上記複数の現像ローラで現像するが、ある特定色の現像中に、他の色用の現像ローラの回転を停止させて待機状態とする形式の画像形成装置がある。
オゾンは空気よりも重く、下方に移動するから、上記のような画像形成装置において、待機状態にある現像ローラがコロナ帯電器よりも下方に位置していると、その現像ローラの表面の一部（現像器ケース等の外部に露出している部分）がオゾンと接触し、その状態が長時間に及ぶと、前記露出部分のみがオゾンで汚染されて（生成物が付着して）当該部分のトナー帯電能が低下することとなる。
このため、その後、上記待機状態にあった現像ローラが感光体上の潜像を現像した際、その画像には、現像ローラの軸線方向に伸びる筋状の濃度ムラが生じてしまう。
【０００４】
そこで、このような問題を解決すべく、従来の画像形成装置は、ある画像形成モードで所定枚数の画像を形成した場合に、その画像形成モード中に使用しない現像ローラを所定時間空回転させ、現像ローラの表面を現像器ケース内のトナーと接触させることで上記オゾン生成物を剥ぎ取るようにしていた（例えば特許文献１参照）。
なお、コロナ帯電器に対し、その上方において、かつ現像位置を介して、排気ダクトの吸入口を設けた画像形成装置が知られている（例えば特許文献２参照）。
【特許文献１】特開２０００−１３７３６１号公報
【特許文献２】特開２００３−２９５７１４号公報
【発明の開示】
【発明が解決しようとする課題】
【０００５】
上記特許文献１記載のものでは、ある画像形成モード（例えばモノクロモード）で多数枚の画像を形成する際、その画像形成モード中に使用しない現像ローラ（例えばカラー用現像ローラ）の表面が汚染された後に、その汚染で生じたオゾン生成物をトナーに接触させて剥ぎ取るべく空回転させていたので、オゾン生成物が剥離されるまでに長時間を要するという問題があり、結果として、特定色（例えばモノクロ）の画像を多数枚形成しようとした場合、その速度が低下してしまうという問題があった。
なお、上記特許文献２のものでは、排気ダクトの吸入口が、コロナ帯電器上方に設けられているので、この構成のままでは、コロナ帯電器から発生して下方に向かうオゾンは殆ど吸引できない。
本発明の目的は、以上のような問題を解決し、ある色の画像を多数枚速やかに形成することができるとともに、その後、他の色の画像を形成した場合でも、その画像に濃度ムラが生じないカラー画像形成装置を提供することにある。
【課題を解決するための手段】
【０００６】
上記目的を達成するために本発明のカラー画像形成装置は、感光体の表面を帯電させるコロナ帯電器と、
回転体本体に異なる色用の複数の現像ローラが設けられていて、前記回転体本体を間欠的に回転させることにより、前記感光体表面に形成された潜像を現像位置にて前記複数の現像ローラで選択的に現像するロータリ現像器とを備え、
前記複数の現像ローラのうち、ある色用の現像ローラで前記感光体表面の潜像を現像して当該ある色の画像を形成している際に、少なくとも他の一つの現像ローラが前記コロナ帯電器よりも下方に位置するカラー画像形成装置において、
前記ある色の画像の形成後に前記少なくとも一つの現像ローラで現像される画像を形成した際に当該画像に濃度ムラが生じる程度に前記少なくとも一つの現像ローラの表面が前記コロナ帯電器から発せられるオゾンで汚染される前に、前記回転体本体を少なくとも一回転させることを特徴とする。
このような構成によれば、コロナ帯電器で発生したオゾンが下方（したがって待機状態にある少なくとも一つの現像ローラ）へ向かい、待機状態にある前記少なくとも一つの現像ローラの周辺に滞留して当該現像ローラ表面の露出部を、当該現像ローラで現像される画像を形成した際に当該画像に濃度ムラが生じる程度に汚染しようとしても、その前に、ロータリ現像器の回転体本体が回転し、この回転によって、前記少なくとも一つの現像ローラの周辺に滞留したオゾンが拡散され、前記画像ムラが生じる程度の当該現像ローラ表面の汚染が未然に防止されることとなる。
したがって、この発明によれば、ある色の画像を多数枚形成する場合、所定枚数の画像を形成する毎に、その色の画像の形成中に使用しない現像ローラを所定時間空回転させる必要がなくなる。
現像ローラ表面に付着したオゾン生成物をトナーに接触させて剥ぎ取る程度に現像ローラを空回転させるのに要する時間に比べて、ロータリ現像器の回転体本体を一回転させるのに要する時間は短くできるので、結果として、ある色の画像を多数枚速やかに形成することが可能となる。
なお、「濃度ムラ」は、通常の人の目視で明らかにそれと分かる程度の濃度ムラをいう。
望ましくは、前記回転体本体回りにダクトの吸入口を設けるとともに、前記回転体本体の回転方向を、当該回転体本体回りの空気を前記吸入口に向けて移動させる方向とする。
このような構成とすれば、前記少なくとも一つの現像ローラの周辺に滞留したオゾンが回転体本体の回転により拡散されつつ回転体本体回りの空気とともに前記吸入口に向けて移動し、吸入口から効率よく吸入されることとなる。
したがって、現像ローラの軸線方向に伸びる筋状の濃度ムラの発生をより確実に防止することができるようになる。
また望ましくは、前記ロータリ現像器による現像位置の上方に、トナーおよびオゾンを吸引するダクトの吸入口を設けるとともに、前記回転体本体の回転方向を、当該回転体本体回りの空気を前記吸入口に向けて掻き上げる方向とする。
このように構成すれば、前記現像位置で発生する飛散トナーをダクトの吸入口で吸入することができるとともに、前記少なくとも一つの現像ローラの周辺に滞留したオゾンを回転体本体の回転により拡散させつつ回転体本体回りの空気とともに前記吸入口に向けて移動させ、吸入口から効率よく吸入させることができる。
したがって、飛散トナーによる画像形成装置内の汚染を防止することができると同時に、現像ローラの軸線方向に伸びる筋状の濃度ムラの発生をより確実に防止することができるようになる。
また望ましくは、前記回転体本体の回りには、当該回転体本体の回転で生じる気流を案内するガイドを設ける。
このような構成とすれば、回転体本体回りの空気とともにオゾンを効率よく前記吸入口に向けて移動させ、吸入口から効率よく吸入させることができる。
したがって、現像ローラの軸線方向に伸びる筋状の濃度ムラの発生をより確実に防止することができるようになる。
【発明を実施するための最良の形態】
【０００７】
以下、本発明の実施の形態について図面を参照して説明する。
図１は本発明に係るカラー画像形成装置の一実施の形態の内部構造を示す概略側面図である。
この画像形成装置は、Ａ３サイズの用紙（記録材）の両面にフルカラー画像を形成することのできるカラー画像形成装置であり、ケース１０と、このケース１０内に収容された、像担持体ユニット２０と、露光手段としての露光ユニット３０と、現像手段としての現像器（現像装置）４０と、中間転写体ユニット５０と、定着手段としての定着ユニット（定着器）６０とを備えている。
ケース１０には装置本体の図示しないフレームが設けられており、このフレームに各ユニット等が取り付けられている。
【０００８】
像担持体ユニット２０は、外周面に感光層を有する感光体２１と、この感光体２１の外周面を一様に帯電させる帯電手段としてのコロナ帯電器（スコロトロン帯電器）２２とを有しており、このコロナ帯電器２２により一様に帯電させられた感光体２１の外周面を露光ユニット３０からのレーザー光Ｌで選択的に露光して静電潜像を形成し、この静電潜像に現像器４０で現像剤であるトナーを付与して可視像（トナー像）とし、このトナー像を中間転写体ユニット５０の中間転写ベルト５１に一次転写部Ｔ１で一次転写し、さらに、二次転写部Ｔ２で、転写対象である用紙に二次転写させるようになっている。
像担持体ユニット２０には、一次転写後に感光体２１の表面に残留しているトナーを除去するクリーニングブレード２３と、このクリーニングブレード２３で除去された廃トナーを収容する廃トナー貯留部としての廃トナー収容部２４が設けられている。
【０００９】
ケース１０内には、上記二次転写部Ｔ２により片面に画像が形成された用紙をケース１０上面の用紙排出部（排紙トレイ部）１５に向けて搬送する搬送路１６と、この搬送路１６により用紙排出部１５に向けて搬送された用紙をスイッチバックさせて他面にも画像を形成すべく前記二次転写部Ｔ２に向けて返送する返送路１７とが設けられている。
ケース１０の下部には、複数枚の用紙を積層保持する給紙トレイ１８と、その用紙を一枚ずつ上記二次転写部Ｔ２に向けて給送する給紙ローラ１９とが設けられている。
【００１０】
現像器４０はロータリ現像器（ロータリ現像装置）であり、回転体本体４１に対して、それぞれトナーが収容された複数の現像器カートリッジが着脱可能に装着されている。この実施の形態では、イエロー（Ｙ）用の現像器カートリッジ４２Ｙと、マゼンタ（Ｍ）用の現像器カートリッジ４２Ｍと、シアン（Ｃ）用の現像器カートリッジ４２Ｃと、ブラック（Ｋ）用の現像器カートリッジ４２Ｋとが設けられていて、フルカラー画像形成時には回転体本体４１が矢印Ｒ方向に９０度ピッチで回転することによって、感光体２１に現像ローラ４３（ＹＫＣＭ）を選択的に当接させ、感光体２１の表面を選択的に現像することが可能となっている。
【００１１】
露光ユニット３０は、板ガラス等で構成された露光窓３１から上記レーザー光Ｌを感光体２１に向けて照射するようになっている。
中間転写体ユニット５０は、図示しないユニットフレームと、このフレームで回転可能に支持された駆動ローラ５４，従動ローラ５５，一次転写ローラ５６、一次転写部Ｔ１でのベルト５１の状態を安定させるためのガイドローラ５７，およびテンションローラ５８と、これらローラに掛け回されて張架された前記中間転写ベルト５１とを備えており、ベルト５１が図示矢印方向に循環駆動される。感光体２１と一次転写ローラ５６との間において前記一次転写部Ｔ１が形成されており、駆動ローラ５４と本体側に設けられた二次転写ローラ１０ｂとの圧接部において前記二次転写部Ｔ２が形成される。
二次転写ローラ１０ｂは、前記駆動ローラ５４に対して（したがって中間転写ベルト５１に対して）接離可能であり、接触した際に二次転写部Ｔ２が形成される。
したがって、カラー画像を形成する際には、二次転写ローラ１０ｂが中間転写ベルト５１から離間している状態で中間転写ベルト５１上において複数色のトナー像が重ね合わされてカラー画像が形成され、その後、二次転写ローラ１０ｂが中間転写ベルト５１に当接し、その当接部（二次転写部Ｔ２）に用紙が供給されることによって中間転写ベルト５１上から用紙上にカラー画像（トナー像）が転写（二次転写）されることとなる。
トナー像が転写された用紙は、定着ユニット６０の加熱ローラ対６１を通ることでトナー像が溶融定着され、上記排紙トレイ部１５に向けて排出される。
【００１２】
図２は図１の部分拡大図である。
ロータリ現像器４０は、フルカラー画像形成時には回転体本体４１が矢印Ｒ方向に９０度ピッチで回転することによって、現像ローラ４３（ＹＫＣＭ）を選択的に現像位置Ｄに移動させて感光体２１と対向させ、感光体２１の表面を選択的に現像することが可能となっており、各現像ローラ４３（ＹＫＣＭ）は、これが現像位置Ｄにある時にのみ、その駆動手段（図示せず）と接続されて駆動されるようになっている。
したがって、例えば図２に示すように、ブラック用の現像ローラ４３Ｋが現像位置Ｄにあって感光体２１表面をブラックトナーで現像しているとき、現像に寄与しない他の現像ローラ４３（ＣＭＹ）は待機状態となっていて、回転停止状態となっている。また、このとき、待機状態にある現像ローラ４３（ＣＭＹ）のうち、シアン用現像ローラ４３Ｃとマゼンタ用現像ローラ４３Ｍはコロナ帯電器２２よりも下方に位置している。
【００１３】
例えばこのようなカラー画像形成装置において、仮に何の方策も講じないとしたならば、前述したように、コロナ帯電器２２で発生して矢印Ｏで示すように下方に移動するオゾンが、待機状態にあって回転していないシアン用現像ローラ４３Ｃとマゼンタ用現像ローラ４３Ｍの現像器ケース（この場合上記カートリッジのケース）外への露出部４３Ｃ１、４３Ｍ１にのみ接触し、その表面露出部のみにオゾン生成物を付着させて当該部分のトナー帯電能を低下させることとなる。
したがって、例えば、ブラック画像のみが多数枚形成されることによって、このような状態が長時間に及ぶと、前記露出部分４３Ｃ１、４３Ｍ１のトナー帯電能、特に最下部にあるシアン用現像ローラ４３Ｃの露出部４３Ｃ１のトナー帯電能が、現像器ケース内にあってオゾンと接触しない部位４３Ｃ２のトナー帯電能に比べて著しく低下することとなる。
このため、その後、回転体本体４１が矢印Ｒ方向に９０度回転してシアン用現像ローラ４３Ｃが感光体２１上の潜像を現像した際、その画像には、現像ローラ４３の軸線方向に伸びる筋状の濃度ムラが生じてしまう。
【００１４】
そこで、この実施の形態では、ある色の画像（例えばブラック用現像ローラ４３Ｋによるモノクロ画像）の形成後にコロナ帯電器２２の下方に位置していた他の少なくとも一つの現像ローラ（例えばシアン用現像ローラ４３Ｃ）で現像される画像を形成した際に当該画像に濃度ムラが生じる程度に前記少なくとも一つの現像ローラ（例えばシアン用現像ローラ４３Ｃ）の表面がコロナ帯電器２２から発せられるオゾンで汚染される前に、ロータリ現像器４０の回転体本体４１を少なくとも一回転（この実施の形態では１回転）させるように構成してある。
【００１５】
図１，図２において、８０はトナーおよびオゾンを吸引するダクトであり、その吸引口８１は回転体本体４１回りに設けてある。
回転体本体４１の回転方向Ｒは、回転体本体４１回りの空気を吸入口８１に向けて移動させる掻き上げ方向としてある（図３参照）。
図２において、３２は、現像位置Ｄから飛散するトナーが露光窓３１に降りかかるのを防止しているカバーである。このカバー３２は現像ローラ等の軸線方向に伸びており、飛散するトナー、および上記回転体本体４１の回転で吸入口８１へ向けて掻き上げられる空気（気流）とオゾンを案内して上記吸入口７１に導くガイドを構成している。
このガイド３２は、回転体本体４１と略同心状のガイド面３２ａを有しており、ロータリ現像器４０の周面との間に、上記空気およびオゾンの掻き上げ通路を形成している。
なお、図２において、８２はトナー吸引ダクト８０内に設けられたトナー除去フィルタ、８３はトナー吸引ダクト８０内に設けられたオゾン除去フィルタ、８４は排気ファンである。
【００１６】
以上のようなカラー画像形成装置によれば、次のような作用効果が得られる。
（ａ）このカラー画像形成装置は、感光体２１の表面を帯電させるコロナ帯電器２２と、回転体本体４１に異なる色用の複数の現像ローラ４３（ＫＣＭＹ）が設けられていて、回転体本体４１を間欠的に（９０度ピッチで）回転させることにより、感光体表面に形成された潜像を現像位置Ｄにて複数の現像ローラ４３（ＫＣＭＹ）で選択的に現像するロータリ現像器４０とを備え、複数の現像ローラ（ＫＣＭＹ）のうち、ある色用の現像ローラ（例えば４３Ｋ）で感光体表面の潜像を現像して当該ある色（Ｋ）の画像を形成している際に、少なくとも他の一つの現像ローラ（例えばシアン用の現像ローラ４３Ｃ）がコロナ帯電器２２よりも下方に位置するカラー画像形成装置であって、ある色（Ｋ）の画像の形成後に前記少なくとも一つの現像ローラ（例えば４３Ｃ）で現像される画像を形成した際に当該画像（Ｃ画像）に濃度ムラが生じる程度に前記少なくとも一つの現像ローラ（４３Ｃ）の表面がコロナ帯電器２２から発せられるオゾンで汚染される前に、回転体本体４１を少なくとも一回転させる構成となっているので、このカラー画像形成装置によれば次のような作用効果が得られる。
すなわち、コロナ帯電器２２で発生したオゾンが下方（したがって待機状態にある少なくとも一つの現像ローラ（例えば４３Ｃ））へ向かい、待機状態にある前記少なくとも一つの現像ローラ（例えば４３Ｃ）の周辺に滞留して当該現像ローラ表面の露出部を、当該現像ローラで現像される画像（例えばＣ画像）を形成した際に当該画像に濃度ムラが生じる程度に汚染しようとしても、その前に、ロータリ現像器４０の回転体本体４１が回転し、この回転によって、前記少なくとも一つの現像ローラ（例えば４３Ｃ）の周辺に滞留したオゾンが拡散され、前記画像ムラが生じる程度の当該現像ローラ表面の汚染が未然に防止されることとなる。
したがって、ある色（例えばＫ）の画像を多数枚形成する場合、所定枚数の画像を形成する毎に、その色（Ｋ）の画像の形成中に使用しない現像ローラ（ＣＭＹ）を所定時間空回転させる必要がなくなる。
現像ローラ表面に付着したオゾン生成物をトナーに接触させて剥ぎ取る程度に現像ローラを空回転させるのに要する時間に比べて、ロータリ現像器の回転体本体４１を一回転させるのに要する時間は短くすることができるので、結果として、ある色の画像（例えばＫ画像）を多数枚速やかに形成することが可能となる。
例えばこの実施の形態の画像形成装置において、モノクロ画像の形成中に使用しない現像ローラ４３（ＣＭ）を、その表面に付着したオゾン生成物をトナーに接触させて剥ぎ取る程度に空回転させるのには少なくとも数秒間を要するのに対し、ロータリ現像器の回転体本体４１を一回転させるのに要する時間は１秒ほどですむ。
【００１７】
（ｂ）回転体本体４１回りにダクト８０の吸入口８１を設けるとともに、回転体本体４１の回転方向Ｒを、当該回転体本体４１回りの空気Ａ（図３参照）を吸入口８１に向けて移動させる方向としてあるので、前記少なくとも一つの現像ローラ（例えば４３Ｃ）の周辺に滞留したオゾンが、図３に矢印Ｏで示すように回転体本体４１の回転により拡散されつつ回転体本体４１回りの空気Ａとともに吸入口８１に向けて移動し、吸入口８１から効率よく吸入されることとなる。
したがって、現像ローラの軸線方向に伸びる筋状の濃度ムラの発生をより確実に防止することができるようになる。
現像時においては図２に示すように感光体２１に対して現像ローラ４３が当接しまたは極めて微少な間隔をもって対向しているが、図３に示すように、回転体本体４１が回転すると、現像ローラ４３が感光体２１から離間して回転体本体４１の周面と感光体２１との間に隙間Ｃが形成されるので、上記空気ＡおよびオゾンＯはこの隙間Ｃを通って吸入口８１から効率よく吸引される。
【００１８】
（ｃ）ロータリ現像器４０による現像位置Ｄの上方に、トナーおよびオゾンを吸引するダクト８０の吸入口８１を設けるとともに、回転体本体４１の回転方向Ｒを、当該回転体本体４１回りの空気Ａを吸入口８１に向けて掻き上げる方向としてあるので、現像位置Ｄで発生する飛散トナーをダクト８０の吸入口８１で吸入することができるとともに、少なくとも一つの現像ローラ（例えば４３Ｃ）の周辺に滞留したオゾンを、図３に示すように、回転体本体４１の回転により拡散させつつ回転体本体回りの空気Ａとともに吸入口８１に向けて移動させ、吸入口８１から効率よく吸入させることができる。
したがって、飛散トナーによる画像形成装置内の汚染を防止することができると同時に、現像ローラの軸線方向に伸びる筋状の濃度ムラの発生をより確実に防止することができるようになる。
【００１９】
（ｄ）回転体本体４１の回りには、当該回転体本体４１の回転で生じる気流（Ａ）を案内するガイド３２を設けてあるので、回転体本体４１回りの空気とともにオゾンを効率よく吸入口８１に向けて移動させ、吸入口８１から効率よく吸入させることができる。
また、現像ローラ４３の回転体本体４１周面からの突出部（例えば４３Ｃ１）が回転体本体４１周辺の空気およびオゾンを掻き上げる作用を助けるので、上記ガイド３２による作用と相まって回転体本体４１回りの空気とともにオゾンを効率よく吸入口８１に向けて移動させることができる。
したがって、現像ローラの軸線方向に伸びる筋状の濃度ムラの発生をより確実に防止することができるようになる。
【００２０】
以上、本発明の実施の形態について説明したが、本発明は上記の実施の形態に限定されるものではなく、本発明の要旨の範囲内において適宜変形実施可能である。
【図面の簡単な説明】
【００２１】
【図１】本発明に係るカラー画像形成装置の一実施の形態の内部構造を示す概略側面図。
【図２】図１の部分拡大図。
【図３】作用説明図。
【符号の説明】
【００２２】
２１：感光体、２２：コロナ帯電器、３２：ガイド、４０：ロータリ現像装置、４１：回転体本体、４３：現像ローラ、８０：トナーおよびオゾン吸引ダクト、８１：吸入口、Ａ：気流、Ｏ：オゾン、Ｄ：現像位置。
【図１】
2005266027.tif 000003
【図２】
2005266027.tif 000004
【図３】
2005266027.tif 000005